(57)【要約】【課題】立体形状の容器をコンパクトに折り畳んだ状態に保持しておくことが可能な掛孔付容器を提供する。攪拌容器、混合容器、植木ポットとしても使用することが可能な多用途の掛孔付容器を提供する。【解決手段】掛孔付容器１０は、側胴１１と、底部１３と、開口縁部１２と、延出片３０と、掛孔３１とを備える。側胴１１は、第１鉛直折部１４と、第２鉛直折部１５と、第３鉛直折部３８と、第４鉛直折部３９と、水平谷折部１７とを備える。折り畳みは、〔Ｓ１〕容器１０の側胴１１同士を押し合わせて第１鉛直折部１４と第２鉛直折部１５とを山折りにする。〔Ｓ２〕水平谷折部１７を谷折りにして側胴１１と底部１３とを略面一にする。〔Ｓ３〕第３鉛直折部３８及び第４鉛直折部３９を折り曲げて、第１鉛直折部１４と第２鉛直折部１５とを重ね合わせる。〔Ｓ４〕延出片３０を容器１０の下方に曲げて開口頂部１２Ｔを掛孔３１に通して掛け留める。【選択図】図１１
2015196501.tif 000002
【特許請求の範囲】
【請求項１】
側胴と、前記側胴の底端を塞ぐ底部と、前記側胴の開口端を形成する開口縁部と、前記開口縁部から延出する延出片とを備え、
前記延出片は、前記開口縁部の一部から延出すると共に掛孔を有する
掛孔付容器。
【請求項２】
前記側胴は、第１鉛直折部と、第２鉛直折部と、第３鉛直折部と、第４鉛直折部と、水平谷折部とを有し、
前記第１鉛直折部及び前記第２鉛直折部は、前記開口縁部から前記底部の方向に向けて伸びる折目であって、前記側胴の対向する位置に形成され、前記側胴同士が重なり合うように内側に向けて潰す第１回目の折畳みの際に外側に向かって広がる折目であり、
前記水平谷折部は、前記側胴において前記底部と略平行に形成され、前記第１回目の折畳みを行って前記側胴同士を重ね合わせた後に、前記側胴と前記底部とが平行に重なるように第２回目の折畳みを行う際の折目であり、
前記第３鉛直折部及び前記第４鉛直折部は、前記開口縁部から前記底部の方向に向けて伸びる折目であって、前記側胴における前記第１鉛直折部と前記第２鉛直折部との中間部位にそれぞれ形成され、前記第２回目の折畳みを行った後に前記第１鉛直折部と前記第２鉛直折部とが重なり合うように第３回目の折畳みを行う際に、山折又は谷折となる折目であり、
前記延出片は、前記第１鉛直折部又は前記第２鉛直折部の延長上を含む前記開口縁部の一部から延出し、
前記掛孔は、前記第３回目の折畳みを行った後に前記第２鉛直折部又は前記第１鉛直折部の開口頂部を掛け留める
請求項１に記載の掛孔付容器。
【請求項３】
前記掛孔の平面形状は略円形、楕円形、又は茄子形であり、その内法は１８乃至３６ｍｍである
請求項１又は２に記載の掛孔付容器。
【請求項４】
前記延出片は、前記開口縁部の一部から外側に向けて延出し、
前記側胴、底部、及び延出片は、ポリエチレン、ポリプロピレン、ポリカーボネイト、ポリスチレン、塩化ビニール、ＡＢＳ樹脂、ＰＥＴ樹脂等の樹脂の薄板から真空成形によって形成する
請求項１乃至３のいずれかに記載の掛孔付容器。
【請求項５】
前記底部の平面形状は外法Ｗの略円形であり、
前記水平谷折部の前記底部からの距離は、前記底部の外法Ｗの１／２である
請求項２に記載の掛孔付容器。
【請求項６】
前記第１鉛直折部、前記第２鉛直折部、前記第３鉛直折部、前記第４鉛直折部又は前記水平谷折部は、前記側胴よりも薄肉とすることにより折り曲げ易く形成した薄肉部である
請求項２又は５に記載の掛孔付容器。
【請求項７】
前記第１鉛直折部、前記第２鉛直折部、前記第３鉛直折部、前記第４鉛直折部又は前記水平谷折部は、凸条又は湾曲凸条の陵線で形成する
請求項２、５又は６に記載の掛孔付容器。
【請求項８】
前記水平谷折部と前記底部との間の側胴下部は、前記水平谷折部の折目を境として前記側胴よりも一段内側に形成する
請求項２、５、６、又は７に記載の掛孔付容器。
【請求項９】
前記第１鉛直折部と前記水平谷折部との交点付近を頂点とし、前記底部の一部を底辺とする側面視三角形の第１三角面と、
前記第２鉛直折部と前記水平谷折部との交点付近を頂点とし、前記底部の一部を底辺とする側面視三角形の第２三角面と、
前記第２回目の折畳みを行う際に山折りとなる、前記第１三角面及び前記第２三角面におけるそれぞれ２つの斜辺山折部と
を備える請求項２、５、６、７、又は８に記載の掛孔付容器。
【請求項１０】
前記側胴と前記底部との交わる部分の一部に直線状の底辺を有し、
前記掛孔は、前記底辺の上方に相当する部位の延出片に開孔し、
壁に固定された壁掛フックを、前記掛孔に通して当該掛孔付容器を掛けた際に、
前記壁と、前記底辺、又は前記第１三角面若しくは前記第２三角面の底辺とが接触することにより安定して止まる形状である
請求項１又は９に記載の掛孔付容器。
【請求項１１】
前記第１三角面及び前記第２三角面は、前記側胴及び、前記水平谷折部と前記底部との間の側胴下部よりも一段内側に形成する
請求項９に記載の掛孔付容器。
【発明の詳細な説明】
【技術分野】
【０００１】
本発明は、使用後に折り畳むことが可能な掛孔付容器に関する。また、本発明は、医療用容器、攪拌容器、混合容器、植木ポットとしても使用することが可能な多用途の掛孔付容器に関する。
【背景技術】
【０００２】
従来使い捨てカップは、重ねた状態にしてから破棄することによって、廃棄物の体積を減らす工夫をしていた。
【０００３】
特許文献１（特開平０７−０７６４０２号公報）には、投入された使い捨てカップを一定数量スタックすることによって、限られた容積のごみ箱に多くのカップを収容することが可能な、ごみ箱用蓋が開示されている。
【先行技術文献】
【特許文献】
【０００４】
【特許文献１】特開平０７−０７６４０２号公報
【発明の概要】
【発明が解決しようとする課題】
【０００５】
特許文献１に記載されているごみ箱用蓋を用いてカップを破棄する場合には、カップ破棄専用のごみ箱が必要であった。
【０００６】
本発明は、破棄する際に容易に折り畳むと共に、その折り畳んだ状態を保持しておくことが可能な、掛孔付容器を提供することを目的とする。
【０００７】
また、本発明は、攪拌容器、混合容器、植木ポットとしても使用することが可能な多用途の掛孔付容器を提供することを目的とする。
【課題を解決するための手段】
【０００８】
本発明に係る掛孔付容器（１０）は、側胴（１１）と、側胴（１１）の底端を塞ぐ底部（１３）と、側胴（１１）の開口端を形成する開口縁部（１２）と、開口縁部（１２）から延出する延出片（３０）とを備える。延出片（３０）は、開口縁部（１２）の一部から延出すると共に掛孔（３１）を有する。
【０００９】
更に、側胴（１１）は、第１鉛直折部（１４）と、第２鉛直折部（１５）と、第３鉛直折部（３８）と、第４鉛直折部（３９）と、水平谷折部（１７）とを有する。第１鉛直折部（１４）及び第２鉛直折部（１５）は、開口縁部（１２）から底部（１３）の方向に向けて伸びる折目であって、側胴（１１）の対向する位置に形成され、側胴（１１）同士が重なり合うように内側に向けて潰す第１回目の折畳みの際に外側に向かって広がる折目である。水平谷折部（１７）は、側胴（１１）において底部（１３）と略平行に形成され、第１回目の折畳みを行って側胴（１１）同士を重ね合わせた後に、側胴（１１）と底部（１３）とが平行に重なるように第２回目の折畳みを行う際の折目である。第３鉛直折部（３８）及び第４鉛直折部（３９）は、開口縁部（１２）から底部（１３）の方向に向けて伸びる折目であって、側胴（１１）における第１鉛直折部（１４）と第２鉛直折部（１５）との中間部位にそれぞれ形成され、第２回目の折畳みを行った後に第１鉛直折部（１４）と第２鉛直折部（１５）とが重なり合うように第３回目の折畳みを行う際に、山折又は谷折となる折目である。延出片（３０）は、第１鉛直折部（１４）又は第２鉛直折部（１５）の延長上を含む開口縁部（１２）の一部から延出する。掛孔（３１）を用いて、第３回目の折畳みを行った後に、第２鉛直折部（１５）又は第１鉛直折部（１４）の開口頂部（１２Ｔ）を掛け留めることができる。
【００１０】
掛孔（３１）の平面形状を略円形とし、その内法を１８乃至３６ｍｍとすることができる。
【００１１】
延出片（３０）は、開口縁部（１２）の一部から外側に向けて延出する構成を有している。そして、側胴（１１）、底部（１３）、及び延出片（３０）は、ポリエチレン、ポリプロピレン、ポリカーボネイト、ポリスチレン、塩化ビニール、ＡＢＳ樹脂、ＰＥＴ樹脂等の樹脂の薄板から真空成形によって形成することができる。
【００１２】
底部（１３）の平面形状を外法Ｗの略円形とした際に、水平谷折部（１７）と底部（１３）との間の距離を、底部（１３）の外法Ｗの１／２とすることが好ましい。
【００１３】
第１鉛直折部（１４）、第２鉛直折部（１５）、第３鉛直折部（３８）、第４鉛直折部（３９）又は水平谷折部（１７）を、側胴（１１）よりも薄肉に形成することにより、容器（１０）を折り畳み易くすることができる。
【００１４】
第１鉛直折部（１４）、第２鉛直折部（１５）、第３鉛直折部（３８）、第４鉛直折部（３９）又は水平谷折部（１７）を、凸条又は湾曲凸条の陵線で形成することにより、容器（１０）を折り畳み易くすることができる。
【００１５】
水平谷折部（１７）と底部（１３）との間の側胴下部（１６）は、水平谷折部（１７）の折目を境として側胴（１１）よりも一段内側に形成することができる。
【００１６】
容器（１０）において、第１鉛直折部（１４）と水平谷折部（１７）との交点付近を頂点とし、底部（１３）の一部を底辺とする側面視三角形の第１三角面（１８）を形成する。同様に、第２鉛直折部（１５）と水平谷折部（１７）との交点付近を頂点とし、底部（１３）の一部を底辺とする側面視三角形の第２三角面（１９）を形成する。そして、第２回目の折畳みを行う際に山折りとなる、第１三角面（１８）及び第２三角面（１９）におけるそれぞれ２つの斜辺山折部（２０）を形成する。これにより、容器（１０）を折り畳み易くすることができる。
【００１７】
側胴（１１）と底部（１３）との交わる部分の一部に直線状の底辺（１９Ｄ）を有し、延出片（３０）は、底辺（１９Ｄ）の上方に相当する部位に掛孔（３１）を有する。掛孔付容器（１０）は、壁（５０）に固定された壁掛フック（５１）を通して当該掛孔付容器（１０）を吊り掛けた際に、壁（５０）と底辺（１９Ｄ）、又は第１三角面（１８）若しくは第２三角面（１９）の底辺（１８Ｄ、１９Ｄ）とが接触することにより、安定して止まる形状に形成したものである。
【００１８】
容器（１０）の第１三角面（１８）及び第２三角面（１９）を、斜辺山折部（２０）を境にして、側胴（１１）及び、水平谷折部（１７）と底部（１３）との間の側胴下部（１６）よりも一段内側に形成することができる。
【発明の効果】
【００１９】
本発明の掛孔付容器は、容易に小さく折り畳むことができると共に、その折り畳んだ状態を保持しておくことができる。これにより、容器を破棄する際において、ごみ箱の容積を有効利用することができる。また、汎用のごみ箱を用いることもできる。
【００２０】
また、本発明の掛孔付容器は、医療用容器、攪拌容器、混合容器、植木ポットなどの多くの用途に用いることができる。
【図面の簡単な説明】
【００２１】
【図１】図１は、掛孔付容器を斜め上方から観察した外観斜視図である。
【図２】図２は、掛孔付容器を斜め下方から観察した外観斜視図である。
【図３】図３は、掛孔付容器を略側方から観察した図である。
【図４】図４は、掛孔付容器の上方から内部を観察した平面図である。
【図５】図５は、掛孔付容器を図２に示すＨＣで切断した状態を、斜め下方から観察した図である。
【図６】図６は、掛孔付容器を図２に示すＨＣで切断した状態の断面図である。
【図７】図７は、折り畳む前の容器の外観斜視図である。
【図８】図８は、第１回目の折畳み（Ｓ１）後の状態を説明する外観斜視図である。
【図９】図９は、第２回目の折畳み（Ｓ２）後の状態を説明する外観斜視図である。
【図１０】図１０は、第３回目の折畳み（Ｓ３）後の状態を説明する外観斜視図である。
【図１１】図１１は、第４回目の折畳み（Ｓ４）後の状態を説明する外観斜視図である。
【図１２】図１２は、掛孔付容器の掛孔に指を通した使用状態を説明する斜視図である。
【図１３】図１３は、掛孔付容器の内部にパセリの植木ポットを挿入したキッチン菜園の使用状態を説明する図である。
【図１４】図１４は、掛孔付容器の内部に植木ポットを挿入した使用状態を説明する図である。
【発明を実施するための形態】
【００２２】
図１〜図６を参照して、本発明に係る掛孔付容器１０の構成について説明する。図１は、掛孔付容器１０を斜め上方から観察した外観斜視図である。図２は、掛孔付容器１０を斜め下方から観察した外観斜視図である。図３は、掛孔付容器を略側方から観察した図である。図４は、掛孔付容器の上方から内部を観察した平面図である。図５は、掛孔付容器を図２に示すＨＣで切断した状態を、斜め下方から観察した図である。図６は、掛孔付容器を図２に示すＨＣで切断した状態の断面図である。
【００２３】
掛孔付容器１０は、水平断面が円形又は角形の、紙容器又は樹脂製の容器である。図１〜図６に示す実施形態では、截頭錐体の樹脂製の容器１０を例に説明する。
【００２４】
図１乃至図４に示すように、掛孔付容器１０は、側胴１１と、側胴１１の底端部を塞ぐ底部１３と、側胴１１の開口端を形成する開口縁部１２と、開口縁部１２から延出する延出片３０とを有する。延出片３０には、掛孔３１を開設してある。
【００２５】
延出片３０は、開口縁部１２の一部から延出させてある。側胴１１と底部１３との交わる部分の一部には、直線状の底辺１９Ｄを形成することができる。また、底辺１９Ｄの上方に相当する延出片３０の部位に、掛孔３１を開設することができる。
【００２６】
側胴１１には、第１鉛直折部１４と、第２鉛直折部１５と、水平谷折部１７と、第３鉛直折部３８と、第４鉛直折部３９とを形成することができる。
【００２７】
第１鉛直折部１４及び第２鉛直折部１５は、底部１３に対して垂直に側胴１１の対向する位置に形成され、開口縁部１２から底部１３の方向に向けて伸びる側胴１１の折目である。この第１鉛直折部１４及び第２鉛直折部１５は、側胴１１同士が重なり合うように内側に向けて潰す第１回目の折畳みの際（後段にて説明する図８参照。）に、外側に向かって広がる山折用の折目である。
【００２８】
図２及び図３に示すように、水平谷折部１７は、側胴１１において第１鉛直折下端部１４Ｄと第２鉛直折下端部１５Ｄとの間に形成され、底部１３と側面視略平行、若しくは下に凸となる曲線（図３に示す水平谷折部１７Ｄ参照。）で形成される谷折用の折目である。この水平谷折部１７は、側胴１１同士を重ね合わせる第１回目の折畳みの後に、側胴１１と底部１３とが平行に重なるように第２回目の折畳みを行う際の折目である。底部１３の平面形状が、外法Ｗの略円形である場合には、底部１３から水平谷折部１７までの距離は、図２に示すように底部１３の外法Ｗの約１／２とすることが好ましい。
【００２９】
容器１０を真空成形や射出成形により成形する場合には、型から製品を抜く際の都合上、水平谷折部１７を段差で形成し、側胴１１よりも側胴下部１６が容器１０の内側に位置するように構成することが好ましい。なお、水平谷折部１７を段差として形成する他にも、ハーフカットや成形により折目の部分だけ薄肉に形成する方法や、凸条又は湾曲凸条の陵線により成形することもできる。
【００３０】
第３鉛直折部３８及び第４鉛直折部３９は、側胴１１における第１鉛直折部１４と第２鉛直折部１５との中間部位にそれぞれ形成され、開口縁部１２から底部１３の方向に向けて伸びる折目である。第３鉛直折部３８及び第４鉛直折部３９は、第２回目の折畳みを行った後に、側胴１１の第１鉛直折部１４と第２鉛直折部１５とが重なり合うように第３回目の折畳みを行う際に、山折又は谷折となる折目である。
【００３１】
図２乃至図４に示す実施形態では、第３鉛直折部３８は、開口縁部１２から水平谷折部１７に至る範囲に形成してあるが、第３鉛直折部３８を開口縁部１２から底部１３に至る範囲に形成することもできる。第４鉛直折部３９は、開口縁部１２から底部１３に至る範囲に形成してある。
【００３２】
側胴１１の下部には、第１鉛直折下端部１４Ｄと水平谷折部１７との交点付近を頂点とし、底部１３の一部を底辺とする側面視三角形の第１三角面１８を形成してある。同様に、第１三角面１８の対面における側胴１１の下部には、第２鉛直折下端部１５Ｄと水平谷折部１７との交点付近を頂点とし、底部１３の一部を底辺とする側面視三角形の第２三角面１９を形成してある。第１三角面１８及び第２三角面１９のそれぞれの２つの斜辺には、斜辺山折部２０を形成してある。第１三角面１８及び第２三角面１９の底辺は、第１三角面底辺１８Ｄ及び第２三角面底辺１９Ｄである。
【００３３】
第１三角面１８及び第２三角面１９は、容器１０の第１鉛直折部１４と第２鉛直折部１５とを山折りにして側胴１１同士が合わさるように折り畳んだ際（第１回目の折り畳みの際）に、側胴１１及び側胴下部１６と底部１３との間に生ずる歪を減少させるために形成した面である。水平谷折部１７と同様に、第１三角面１８及び第２三角面１９の斜辺山折部２０を段差で形成し、側胴１１及び側胴下部１６よりも、第１三角面１８及び第２三角面１９が容器１０の内側に位置するように構成することができる（図５及び図６参照。）。なお、斜辺山折部２０を段差として形成する他にも、ハーフカットや成形により折目の部分だけ薄肉に形成する方法や、凸条又は湾曲凸条の陵線を成形する方法を採用することもできる。
【００３４】
なお、第１鉛直折部１４、第２鉛直折部１５、第３鉛直折部３８、及び第４鉛直折部３９は、必ずしも開口縁部１２まで形成されている必要は無く、開口縁部１２に向けて形成されていれば、側胴１１を折り畳むことができる。
【００３５】
図１に示すように、第１鉛直折部１４、第２鉛直折部１５、第３鉛直折部３８、及び第４鉛直折部３９の形状は、凸条又は湾曲凸条の陵線を形成して、折り曲げ易くする構成を用いることができる。また、側胴１１よりも薄肉（ハーフカットを用いることもできる。）に形成した薄肉部とすることによって、折り曲げ易く形成することができる。また、第１鉛直折部１４（第３鉛直折部３８、第４鉛直折部３９又は第２鉛直折部１５）の左右において、側胴１１に段差を形成して、折り曲げ易くする構成を用いることもできる。これらの段差は、側胴１１の素材の厚さの１〜１０倍の寸法を用いることができる。
【００３６】
図１、図２、図４に示すように延出片３０は、第２鉛直折部１５（又は第１鉛直折部１４）の延長上において開口縁部１２の一部から延出させてある。延出片３０は、開口縁部１２の延長上である延出片折部３２において、折り曲げることが可能となっている（後段にて説明する図１１参照。）。延出片３０には、第３回目の折畳みを行った後に第１鉛直折部１４（又は第２鉛直折部１５）の開口頂部１２Ｔを掛け留めることが可能な掛孔３１を開設してある。
【００３７】
掛孔３１は、多角形や円形、楕円形、茄子形、ハート形、星型、その他の形状の孔とすることができる。なお、掛孔３１の内法（掛孔３１が略円形、楕円形、茄子形等の開孔である場合には内径）は、１８乃至３６ｍｍであることが好ましい。掛孔３１が小さ過ぎる場合や大き過ぎる場合には、第３回目の折畳みを行った後に第１鉛直折部１４（又は第２鉛直折部１５）の開口頂部１２Ｔを掛け留めることが困難になる可能性が生ずる。また、掛孔３１の内法を１８乃至３６ｍｍの範囲に設定することによって、容器１０を持つ際に指を入れたり（図１２参照）、フックを用いて容器１０を吊り下げる（図１３、図１４参照）ことが容易となる。
【００３８】
側胴１１、底部１３、及び延出片３０から構成される容器１０を真空成形によって成形する場合には、図２に示すように、延出片３０を開口縁部１２の一部から外側に向けて延出させる形状とすることができる。また、容器１０の素材として、０．２乃至１ｍｍ厚のポリエチレン、ポリプロピレン等のポリオレフィンの薄板や、ポリカーボネイト、ポリスチレン、塩化ビニール、ＡＢＳ（アクリロニトリル・ブタジエン・スチレン）樹脂、ＰＥＴ（ポリエチレンテレフタラート）樹脂等の真空成形用に用いられる樹脂の薄板を用いて、一体の真空成形を行うことができる。より好ましくは、０．３乃至０．５ｍｍ程度の厚さの素材を用いることが好ましい。
【００３９】
なお、容器１０の素材として、折り曲げることが容易な素材を用いる場合には、第１鉛直折部１４、第２鉛直折部１５、第３鉛直折部３８、第４鉛直折部３９、又は水平谷折部１７に特段の折り曲げ容易な部位を形成しない構成を用いることもできる。そして、折目であることを示す目印を付けておくこともできる。
【００４０】
容器１０の側胴１１には、容器１０の内部に液体や粉体を貯留させた際において、その貯留物の容積を指し示す容量目盛４０を形成してある。容量目盛４０は、成形により凹凸を形成したものであってもよいし、刻印、印刷等によって付した目盛を用いることもできる。
【００４１】
容器１０の側胴１１上部には、開口縁部１２と平行な開口段部３３を形成して、開口縁部１２付近の剛性を高めてある。開口段部３３を成形することによって、開口縁部１２の形状を安定させることができる。
【００４２】
なお、図１乃至図６に示す容器１０の外形は截頭錐体であるので、複数の容器１０をその内部に積み重ねて、スタックすることができるようになっている。
【００４３】
次に、図７乃至図１１を参照して、本発明の掛孔付容器１０の折り畳み手順について説明する。図７は、折り畳む前の容器１０の外観斜視図である。図８は、第１回目の折畳み後における容器１０の状態を説明する外観斜視図である。図９は、第２回目の折畳み後における容器１０の状態を説明する外観斜視図である。図１０は、第３回目の折畳み後における容器１０の状態を説明する外観斜視図である。図１１は、第４回目の折畳み後における容器１０の状態を説明する外観斜視図である。なお、図１乃至図６にて説明した部位と同一の機能を有する部位については、同一の符号を付してその説明を省略する。
【００４４】
（図７：第１回目の折畳みＳ１）
利用者が容器１０を使用し終えた場合には、図７に示す状態から容器１０を折り畳むことができる。先ず利用者は、容器１０の第１鉛直折部１４と第２鉛直折部１５との間の側胴１１同士が重なり合うように内側に向けて押し潰す。
【００４５】
（図８：第１回目の折畳みＳ１）
すると、図８に示すように第１鉛直折部１４と第２鉛直折部１５とが山折に折れ曲がると同時に外側に向かって広がり、側胴１１の上部同士が重なり合う（第１回目の折畳み）。このとき延出片３０は、図８に示す実施形態では開口縁部１２よりも上方に撥ね上げてある。
【００４６】
（図９：第２回目の折畳みＳ２）
次に、図８に示す状態から、第１鉛直折下端部１４Ｄ及び第２鉛直折下端部１５Ｄを結ぶ水平谷折部１７を谷折りにして、底部１３及び側胴下部１６を側胴１１に重ね合わせる（第２回目の折畳み）。すると容器１０は、図９に示す状態となり、底部１３と第１三角面１８と第２三角面１９とが略面一となって、側胴１１と略平行になる。第２回目の折畳みを行うことによって、立体形状であった容器１０が平面状に折り畳まれた状態となる。
【００４７】
（図１０：第３回目の折畳みＳ３）
次に、図９に示す状態から第３鉛直折部３８を山折りにすると共に、第４鉛直折部３９を谷折りにして、第１鉛直折部１４と第２鉛直折部１５とが重なり合うように折り畳む（第３回目の折畳み）。すると容器１０は、図１０に示すように、よりコンパクトな平面状に畳まれた状態となる。なお、この折り畳み方向とは逆に、第３鉛直折部３８を谷折りにし、第４鉛直折部３９を山折りにする折り畳み方法も考えられる。
【００４８】
（図１１：第４回目の折畳みＳ４）
次に、図１０に示す状態から延出片折部３２において延出片３０を折り、延出片３０を容器１０の下方に曲げる。すると、図１１に示す状態となる。このとき、第１鉛直折部１４（又は第２鉛直折部１５）の開口頂部１２Ｔを掛孔３１に通して、第１鉛直折部１４（又は第２鉛直折部１５）付近と掛孔縁部３１Ｆとを接触させて、第１鉛直折部１４と第２鉛直折部１５とが離間しないように、引っ張り合わせた状態で掛け留める。
【００４９】
なお、図１１に示す実施形態では、第２鉛直折部１５の延長上に延出片３０を延出させて掛孔３１を開設してあるので、掛孔３１は第１鉛直折部１４の上端の開口頂部１２Ｔを掛け止めているが、本発明はこの実施形態に限定するものではない。例えば、第１鉛直折部１４の延長上に延出片３０を延出させて掛孔３１を開設する構成を用いる場合には、掛孔３１を用いて第２鉛直折部１５の開口頂部を掛け止めることができる。また、開口頂部１２Ｔ付近に、掛孔３１に掛かり易くするための凸部を形成しておくこともできる。
【００５０】
掛孔３１を用いて第１鉛直折部１４（又は第２鉛直折部１５）を掛け止めることによって、容器１０を折り畳んだ状態に維持することができる。そして、容器１０が折り畳まれた状態の平面状から、再び立体形状に戻ってしまうことを防止することができる。これにより、破棄された容器１０の体積増加を防止して、ごみ箱の容積を有効に利用することができる。
【００５１】
本発明に係る掛孔付容器１０は、検尿等の医療に関する用途や、薬品の調合、塗料の調合、攪拌用、その他の用途に用いることができる。
【００５２】
次に、掛孔付容器１０の他の使用例について、図１２乃至図１４を用いて説明する。本発明の掛孔付容器１０の開口縁部１２付近には、延出片３０及び掛孔３１が形成されているので、掛孔３１を用いて容器１０を保持する用途が考えられる。図１２は、掛孔付容器１０の掛孔３１に指を通した使用状態を説明する斜視図である。図１３は、掛孔付容器１０の内部にパセリの植木ポット５２を挿入したキッチン菜園の使用状態を説明する図である。図１４は、掛孔付容器１０の内部に植木ポット５２を挿入した使用状態を説明する図である。なお、図１乃至図１１にて説明した部位と同一の機能を有する部位については、同一の符号を付してその説明を省略する。
【００５３】
図１２に示すように、延出片３０の掛孔３１に指を通して、掛孔付容器１０を保持することができる。掛孔３１に指を通して容器１０を保持することによって、より安定した状態で内容物の混合や攪拌を行うことができる。また、容器１０の素材として、更に薄い素材を用いることができる。
【００５４】
掛孔付容器１０の他の使用例として、図１３に示す壁掛けの用途が考えられる。図１３に示すように、掛孔３１に壁掛け用のフック５１を通して容器１０を保持することができる。この場合に、壁５０に対して第２三角面１９（平面）や第２三角面底辺１９Ｄ（直線）が接触するように容器１０の形状を工夫しておくことによって、より安定した状態で植木や野菜を保持しておくことができる。なお、一般に市販されている植木ポット５２の底には水抜き用の孔が空いているので、この孔から内部の土や水が出てくることがあるが、容器１０の底部に開口を設けないことにより、土や水が落下する不具合を防止することができる。
【００５５】
また、掛孔付容器１０の他の使用例として、図１４に示す複数掛けの用途が考えられる。図１４に示すように、複数の容器１０の掛孔３１にそれぞれフック５１を通して容器１０を吊り下げることができる。図１４に示すように、２つの容器１０を背面合わせで吊り下げる場合に、第２三角面１９（平面）同士や第２三角面底辺１９Ｄ（直線）同士が接触するように容器１０の形状を工夫しておくことによって、より安定した状態で植木や野菜を吊り下げておくことができる。
【００５６】
また、容器１０の外装にデザインを施したり、着色を行ったりすることによって、少ない費用で室内の装飾に貢献することができる。
【産業上の利用可能性】
【００５７】
本発明の掛孔付容器は、飲料用や医療用、工業用その他の用途の容器や、ディスポーザブルカップ、植木鉢、物入れ等に適用することができる。
【符号の説明】
【００５８】
１０...容器
１１...側胴
１２...開口縁部
１２Ｔ...開口頂部
１３...底部
１４...第１鉛直折部
１４Ｄ...第１鉛直折下端部
１５...第２鉛直折部
１５Ｄ...第２鉛直折下端部
１６...側胴下部
１７...水平谷折部
１８...第１三角面
１８Ｄ...第１三角面底辺
１９...第２三角面
１９Ｄ...第２三角面底辺
２０...斜辺山折部
３０...延出片
３１...掛孔
３１Ｆ...掛孔縁部
３２...延出片折部
３３...開口段部
３８...第３鉛直折部
３９...第４鉛直折部
４０...容量目盛
５０...壁
５１...フック
５２...植木ポット
【図１】
2015196501.tif 000003
【図２】
2015196501.tif 000004
【図３】
2015196501.tif 000005
【図４】
2015196501.tif 000006
【図５】
2015196501.tif 000007
【図６】
2015196501.tif 000008
【図７】
2015196501.tif 000009
【図８】
2015196501.tif 000010
【図９】
2015196501.tif 000011
【図１０】
2015196501.tif 000012
【図１１】
2015196501.tif 000013
【図１２】
2015196501.tif 000014
【図１３】
2015196501.tif 000015
【図１４】
2015196501.tif 000016